(57)【要約】【課題】  床板に穿設された貫通孔に挿通させた通水管と、床板の上部に配置された継手部材との管継手による接続状態を保持する配管固定具において、管継手の床板から室内への突出高さを低くし、しかも、少ない部品点数で容易に取り付けることができる配管固定具を提供する。【解決手段】  床板１の貫通孔２を挿通する通水管４の先端に結合された管継手４０と、床上に配置された継手部材５０とは固定金具６０により接続され、床板１に固定される配管固定具Ａは、前記通水管４が挿通される筒部１５が形成された第１収容部材１０と、前記固定金具６０が保持される保持部３７が形成された第２収容部材３０とを有し、第１収容部材１０と第２収容部材３０とを床板１に固定することで、管継手４０は収容部材１０，３０に保持される。【選択図】  図２
2006316908.tif 000002
【特許請求の範囲】
【請求項１】
床板の貫通孔を挿通する通水管の先端に結合された管継手と、床上に配置された継手部材とは固定金具により接続され、床板に固定される配管固定具は、前記通水管が挿通される筒部が形成された第１収容部材と、前記固定金具が保持される保持部が形成された第２収容部材とを有し、第１収容部材と第２収容部材とを床板に固定することで、管継手は収容部材に保持されることを特徴とする配管固定具。
【請求項２】
前記第２収容部材は床上に固定され、第１収容部材に溜まる水を外部へ排出する排水孔が形成されたことを特徴とする請求項１記載の配管固定具。
【請求項３】
前記第２収容部材は弾性体からなり、前記通水管が挿通した際に変形可能としたことを特徴とする請求項１または２記載の配管固定具。
【発明の詳細な説明】
【技術分野】
【０００１】
本発明は、床下空間から床板の貫通孔に挿通させて床板の上部に立ち上げた通水管と、床板の上部に配置された継手部材との接続状態を保持する配管固定具に関するものである。
【背景技術】
【０００２】
一般に集合住宅、戸建住宅等において、洗面台，流し台，浴室，トイレ，洗濯機等の給水器具へ給水，給湯配管の施工を行なう場合、建物の躯体工事の際に水用，湯用の各ヘッダーと給水器具との間で蛇腹状の鞘管をタコ足状に配設しておき、設備工事の際にこの鞘管内に水用，または湯用の通水管を挿通させ、ヘッダーと給水器具とを通水管により接続する配管工法が行われている。例えば、鞘管に通水管を挿通し、通水管を床下空間から床板の上部に立ち上げて床板の上部に配置された継手部材に接続し、この継手部材から給水器具へ水または湯を供給する構成のものがある。この配管工法では、通水管と継手部材とを保持する配管固定具が用いられており、この配管固定具として公知のものに、特許文献１のものがある。
【０００３】
この特許文献１について簡単に説明すると、配管固定具は、止水栓が接続された配管継手を床内面に固定するために床に取り付けられた台座部材と、台座部材に螺着される固定ナットと、台座部材と固定ナットとにより軸方向に挟み付けられることで配管継手の外管部に押し付ける固定リングと、台座部材及び固定ナットの下部を覆うカバー部材とを有しており、床内面に配管継手を固定する一方、床下の樹脂配管の端部を、床の貫通穴を通じて配管継手の挿入空間に挿入し接続固定している。そして、配管継手には、配管端部の内周面と配管継手との間を水密にシールする内周シール部材及び配管端部の外周面と配管継手との間を水密にシールする外周シール部材とを装着するとともに、外周シール部材より室内側であって且つ床の内面よりも室内側の位置に溢れ孔を設け、この溢れ孔は内周シール部材を通過して漏水が生じたときに、漏水を室内に溢出させるものである。
【特許文献１】特開２００４−９２１５３号
【発明の開示】
【発明が解決しようとする課題】
【０００４】
特許文献１では、配管継手の溢れ孔が外周シール部材よりも室内側の位置にあり、且つ外周シール部材及び内周シール部材が何れも配管継手に装着されているため、配管継手の一部ないし大部分を床の内面よりも外側に配置することが可能となり、床の内面からの配管継手の突出高さを低くすることができる。しかし特許文献１の配管固定具は、台座部材を床に取り付けた後に、配管継手の外管部に固定リングを取り付け、この固定リングを台座部材に装着し、台座部材と固定ナットとにより固定リングを挟持し、カバー部材を固定ナットに取り付ける必要があった。このように特許文献１の配管固定具は多数の部品を必要とするため、取付時の作業性が悪く、生産コストの上昇を招くものであった。
【０００５】
本発明は、このような従来の技術に存在する問題点に着目してなされたものであり、その目的は、床板に穿設された貫通孔に挿通させた通水管と、床板の上部に配置された継手部材との管継手による接続状態を保持する配管固定具において、管継手の床板から室内への突出高さを低くし、しかも、少ない部品点数で容易に取り付けることができる配管固定具を提供することである。
【課題を解決するための手段】
【０００６】
上記目的を達成するために、請求項１に記載の発明は、床板の貫通孔を挿通する通水管の先端に結合された管継手と、床上に配置された継手部材とは固定金具により接続され、床板に固定される配管固定具は、前記通水管が挿通される筒部が形成された第１収容部材と、前記固定金具が保持される保持部が形成された第２収容部材とを有し、第１収容部材と第２収容部材とを床板に固定することで、管継手は収容部材に保持されるものである。
【０００７】
請求項２では、請求項１に記載の発明において、前記第２収容部材は床上に固定され、第１収容部材に溜まる水を外部へ排出する排水孔が形成されたものである。
【０００８】
請求項３では、請求項１または請求項２に記載の発明において、前記第２収容部材は弾性体からなり、前記通水管が挿通した際に変形可能としたものである。
【発明の効果】
【０００９】
本発明の請求項１では、配管固定具は、少ない部品点数で管継手の床板から室内への突出高さを低くし、しかも施工性が大幅に向上する。
【００１０】
請求項２では、第２収容部材は床上に固定され、第１収容部材に溜まる水を外部へ排出する排水孔が形成されているので、管継手と継手部材との間または管継手と通水管との間で発生した漏水は排水孔から室内へと溢れ出るため、居住者は漏水があったことを室内側から知ることができ、直ちに必要な対策を講じることができる。
【００１１】
請求項３では、第２収容部材は弾性体からなり、通水管が挿通した際に変形するので、通水管との水密状態をより強力に保持することができる。
【発明を実施するための最良の形態】
【００１２】
以下、本発明の実施例を図に基づいて詳細に説明する。
【実施例１】
【００１３】
本発明において、配管固定具Ａは、住宅内で混合水栓等の給水器具が設けられている洗面台，流し台，浴室，トイレ等の近くに配置されるものであり、図１及び図２に示すように、床板１に穿設された貫通孔２の周縁で上部に立ち上がるように固定される。床板１の下部には、蛇腹状の鞘管３が図示しないヘッダーから貫通孔２の下部に向けて配設されており、鞘管３の内部に挿通した通水管４は、貫通孔２を挿通して床板１の上部に立ち上げられる。また、通水管４の先端には管継手４０が結合され、この管継手４０は床板１の上部で固定金具６０により継手部材５０に接続される。床板１から立ち上がる通水管４及び管継手４０はこの配管固定具Ａにより覆われ、外部に露出しないものである。
【００１４】
前記通水管４は、ヘッダーから給水器具に対し水または湯を供給するものであり、容易に折曲することのできる合成樹脂製の架橋ポリエチレン管，ポリブテン管等で形成され、上流側の先端は床板１の下部に配置されたヘッダーに接続され、下流側の先端は管継手４０を介して前記継手部材５０に接続されるものである。この通水管４は、床板１の下部に予め配設された蛇腹状の鞘管３の挿通孔３ａに挿通させることで、鞘管３に被覆されて外部から保護され、通水管４の下流側は鞘管３から露出し、床板１の貫通孔２から上部に向けて垂直方向に立ち上がり、床板１の上部で配管固定具Ａの上端から露出させることができるものである。
【００１５】
前記配管固定具Ａは、図２及び図３に示すように、床板１に穿設された貫通孔２周縁に固定され内部に管継手４０を収容可能な第１収容部材１０と、第１収容部材１０に対し上部から結合され固定金具６０を覆うとともに、管継手４０及び継手部材５０の安定した装着状態を保持する第２収容部材３０とを有している。
【００１６】
前記第１収容部材１０はゴム等の弾性体からなる薄板形状で、床板１の上面に配設され上下に貫通する複数個のビス孔１２が形成された環状のフランジ部１１と、このフランジ部１１から下方へ突出し下方になるにつれ段階的に小径となる環状の突部１３とが形成され、この突部１３の内部には管継手４０の一部または全部を収容可能な収容室１４が形成されている。また、突部１３の最下部中心には、上方に突出した筒部１５が形成されており、この筒部１５には上下に貫通した挿通孔１６が形成されている。この第１収容部材１０は、挿通孔１６に通水管４が挿通されると、筒部１５が通水管４の外周面に対し水密的に密着することで、例えば通水管４と管継手４０との間で漏水が発生し、水滴が第１収容部材１０に落下した場合に、水滴は第１収容部材１０の収容室１４内に溜まることで塞き止められ、第１収容部材１０より下部に落下することがなく、床板１の下部へ水滴が浸入しないようにしている。そして、水滴が第１収容部材１０の収容室１４より上昇すると、第１収容部材１０の上部に結合された第２収容部材３０より外部へ排出されるため、居住者は漏水を素早く発見することができる。
【００１７】
前記第１収容部材１０の筒部１５には保持部材２０が係止される。保持部材２０は、第１収容部材１０と第１収容部材１０の挿通孔１６に挿通された通水管４との水密状態をより強力に保持するものであり、本実施例では環状のバンドを用いた例を示している。この保持部材２０は環状に形成され、内径方向へ収縮する弾性力を有している。この保持部材２０は、第１収容部材１０の筒部１５の貫通孔１６に通水管４を挿通させた後、筒部１５の外周から係止させることにより、第１収容部材１０と通水管４との水密状態をより強力に保持するものである。なお、保持部材は、第１収容部材と通水管との水密状態を保持することができればどのような形態でもよく、本実施例の物品に限定されるものではない。
【００１８】
前記第２収容部材３０は固定手段であるビス５を介して第１収容部材１０の上部に結合され、管継手４０と継手部材５０とを接続する固定金具６０を覆うとともに、継手部材５０及び固定金具６０の安定した装着状態を保持するものである。この第２収容部材３０は、同一形状の第１カバー体３１と第２カバー体３２とから構成され、互いのカバー体３１，３２は左右から向かい合わせて結合させることができる。各カバー体３１，３２は合成樹脂材からなり、半円筒形状の筒部３３と、前記第１収容部材１０のフランジ部１１の外周と略同径の直径を有する薄板状のフランジ部３５とから構成されている。なお、筒部３３の下端には内外に貫通する排水孔３４が形成され、フランジ部３５には上下に貫通するビス孔３６が形成されている。また、各カバー体３１，３２の内周面には、固定金具６０を保持する保持部３７が環状に形成されている。ここで、管継手４０と継手部材５０とを接続するための固定金具６０は多種類存在するが、固定金具６０はどの製品であっても外観形状は共通している。そこで、固定金具６０の外観形状に合わせて第２収容部材３０の内周面に保持部３７を形成することで、第２収容部材３０の内部に固定金具６０を安定した状態で保持することができる。
【００１９】
前記管継手４０は通水管４の先端が接続される略円筒状の本体部４１と、この本体部４１に螺着されるナット４６と、このナット４６の先端に設けられ、本体部４１とナット４６との間に挿入される通水管４を保持するための抜け止め具４７とを備えている。
【００２０】
前記管継手４０の本体部４１は略円筒状で、上部先端にはフランジ４２と、このフランジ４２よりさらに先端の嵌合部４３とが一体に形成され、嵌合部４３はその外周面に複数個の環状溝４４，４４が形成されており、この環状溝４４，４４にはシール材４５，４５がそれぞれ装着されている。
【００２１】
前記継手部材５０はハンドル５１が装着され、このハンドル５１を回転操作することで止水弁５２を移動させ、通水管４から給水器具へ供給される水または湯の止水，通水及び流量調節を可能としたものであり、一端に開口した入口部５３の先端には、固定金具６０を装着するためのフランジ５４が環状に形成され、このフランジ５４は前記管継手４０のフランジ４２と同径で、上下に重なり合うものである。なお、本実施例の継手部材は内部に止水弁を収容しているが、止水弁に限らず逆止弁，ストレーナ，圧力調整弁，水撃防止弁等の機能部品を収容してもよい。
【００２２】
前記固定金具６０は、管継手４０と継手部材５０とをワンタッチで接続可能とするためのもので、図３に示すように、弾性力を有する１枚の金属板を折曲して形成されたもので、基部６１の両端から外側へ略く字型に膨出させた係止部６２，６２と、係止部６２，６２の先端で外側へ略ハ字型に開いた脚部６３，６３とを設け、この両脚部６３，６３の間に管継手４０の嵌合部４３と継手部材５０の端部が挿通する挿通部６４が形成されている。固定金具６０の基部６１から脚部６３，６３にかけて両フランジ４２，５４を弾性的に嵌入可能な横長のスリット６５が開口し、このスリット６５は前記管継手４０と継手部材５０との両フランジ４２，５４を重ね合わせた厚みに対応する上下幅で、固定金具６０は、前記基部６１を支点として拡開，縮径方向に弾性変形可能である。なお、固定金具６０の材質としては、弾性力を有する金属板が好ましいが、合成樹脂材であってもよい。
【００２３】
以下に、通水管４を床板１の下部から貫通孔２に挿通して、床板１の上部に配置された継手部材５０に接続する手順について説明する。
まず図４に示すように、床板１に穿設された貫通孔２の周縁に第１収容部材１０を装着する。このとき、第１収容部材１０の突部１３を床下１の下部に位置するように装着する。そして、通水管４を床板１の下部から貫通孔２に挿通して第１収容部材１０の筒部１５の挿通孔１６に通水管４を挿通させ、第１収容部材１０の筒部１５と通水管４の外周面とを密着させる。
【００２４】
さらに通水管４を第１収容部材１０の挿通孔１６へ挿通させていくと、第１収容部材１０の筒部１５と通水管４の外周面とが密着していることから、図５に示すように、第１収容部材１０の突部１３は通水管４と共に移動して床板１の上部に位置するように変形し、第１収容部材１０の筒部１５の位置は最上層となる。この状態において、保持部材２０を第１収容部材１０の筒部１５の外周に係止し、通水管４と第１収容部材１０との水密状態をより強力に保持させる。
【００２５】
次に、床板１の上部に挿通された通水管４の先端に対して管継手４０を結合する。このとき管継手４０に設けられた抜け止め具４７により、通水管４と管継手４０とは容易に外れないように接続される。その後、通水管４を床板１の下方に押し込むことにより、第１収容部材１０の突部１５が床板１の下部に位置するように再度変形させる。
【００２６】
次に、図６に示すように、継手部材５０の入口部５３に対して管継手４０の嵌合部４３を挿入し、管継手４０と継手部材５０の各フランジ４２，５４が互いに重なり合うようにする。この両フランジ４２，５４に対し固定金具６０のスリット６５を嵌入させることにより、管継手４０と継手部材５０とをワンタッチで接続する。
【００２７】
その後、固定金具６０に対して第２収容部材３０を装着する。このとき、固定金具６０の基部６１，両係止部６２，６２，両脚部６３，６３は、第２収容部材３０の保持部３７に弾力的に保持され、振動することがない。
【００２８】
次に、各カバー体３１，３２のビス孔３６，３６と第１収容部材１０のビス孔１２，１２とを一致させるとともに、第２収容部材３０を第１収容部材１０の上部に密着させる。そして、図７に示すように、両ビス孔３６，１２に対してビス５を螺着することにより、配管固定具Ａは床板１に固定される。このとき、管継手４０の一部は、図２に示すように、第１収容部材１０の収容室１４に収容されるとともに、管継手４０と継手部材５０とを接続する固定部材６０は、床板１に固定された状態となる。
【００２９】
なお、本実施例では、通水管を床板の下方へ押し込む動作を通水管と管継手とを結合した後に行ったが、通水管と管継手とを結合した後であればいつでもよく、継手部材を管継手に接続する前でも、固定金具に対し第２収容部材を装着した後でもよい。
【００３０】
以上のように、配管固定具Ａは通水管４が挿通される筒部１５が形成された第１収容部材１０と、固定金具６０が保持される保持部３７が形成された第２収容部材３０とを有し、第１収容部材１０と第２収容部材３０とを床板１に固定することで、管継手４０は収容部材１０，３０に保持されるものであり、管継手４０と継手部材５０とを接続する固定金具６０は床板１に固定された状態となるため、床板１からの管継手４０の室内への突出高さを低くすることができる。また、配管固定具Ａは少ない部品点数で構成することができ、施工の際には各部品を容易に取り付けることができる。
【００３１】
さらに、配管固定具Ａは、第１収容部材１０に溜まる水を外部へ排出する排水孔３４が形成されているので、管継手４０と継手部材５０との間または管継手４０と通水管４との間で発生した漏水は排水孔３４を介して室内へと溢れ出るため、居住者は漏水があったことを室内側から知ることができ、直ちに必要な対策を講じることができる。
【００３２】
そして、配管固定具Ａでは、第１収容部材１０は、通水管４を挿通した際に容易に変形するので、保持部材２０を第１収容部材１０の筒部１５外周に容易に装着することができ、通水管４と第１収容部材１０との水密状態をより強力に保持することができる。
【図面の簡単な説明】
【００３３】
【図１】本発明の配管固定具を床板に取り付けた状態を示す説明図である。
【図２】図１におけるＸ−Ｘ線断面図である。
【図３】配管固定具，通水管，管継手，継手部材の関係を示す分解斜視図である。
【図４】床板の貫通孔に対し、第１収容部材を装着する状態を示す説明図である。
【図５】保持部材を第１収容部材に係止し、通水管に対し管継手を接続する状態を示す説明図である。
【図６】管継手と継手部材とを固定金具により接続し、固定金具に第２収容部材を装着する状態を示す説明図である。
【図７】ビスにより配管固定具を床板に固定する状態を示す説明図である。
【符号の説明】
【００３４】
１    ：床板
２    ：貫通孔
４    ：通水管
１０  ：第１収容部材
１５  ：筒部
３０  ：第２収容部材
３７  ：保持部
４０  ：管継手
５０  ：継手部材
６０  ：固定金具
Ａ    ：配管固定具
【図１】
2006316908.tif 000003
【図２】
2006316908.tif 000004
【図３】
2006316908.tif 000005
【図４】
2006316908.tif 000006
【図５】
2006316908.tif 000007
【図６】
2006316908.tif 000008
【図７】
2006316908.tif 000009